(57)【要約】【課題】特別な設置工事を不要とすることのできる監視カメラ装置を提供すること。【解決手段】発明の監視カメラ装置１０は、両端の回転体２２が回転自在に取付けられた回転部２１を有するランナー２０と、ランナー２０に連結部２３を介し固定された監視カメラ４０とを備え、長手方向に中空部５１と溝５２とが形成されたレール５０に設置されるとき、回転部２１が中空部５１に挿入されるとともに、連結部２３が溝５２に挿入される構成を有している。【選択図】      図１
2004336186.tif 000002
【特許請求の範囲】
【請求項１】
両端に回転体が回転自在に取付けられた回転部を有するランナーと、前記ランナーに連結部を介し固定された監視カメラとを備え、長手方向に中空部と溝とが形成されたレールに設置されるとき、前記回転部が前記中空部に挿入されるとともに、前記連結部が前記溝に挿入されることを特徴とする監視カメラ装置。
【請求項２】
前記ランナーは、前記レールに当接する駆動回転体を有し、前記駆動回転体の回転駆動により前記レールに沿って移動することを特徴とする請求項１に記載の監視カメラ装置。
【請求項３】
前記駆動回転体は、被写体の動きに応じて作動することを特徴とする請求項２に記載の監視カメラ装置。
【請求項４】
前記レールは、カーテン用のレールまたは絵画用のレールとすることを特徴とする請求項１または請求項２に記載の監視カメラ装置。
【請求項５】
前記ランナーは、カーテンを懸架するフック穴を設けたことを特徴とする請求項１または請求項２に記載の監視カメラ装置。
【請求項６】
前記ランナーおよび、カーテンを懸架するカーテンランナーのいずれか一方にマグネットを設け、他方の少なくとも表面を金属とし、前記ランナーと前記カーテンランナーとを連結することを特徴とする請求項１または請求項２に記載の監視カメラ装置。
【請求項７】
電力供給を行う太陽電池モジュールを備えたことを特徴とする請求項１または請求項２に記載の監視カメラ装置。
【請求項８】
前記太陽電池モジュールによる発電電力量を測定する発電電力量検知部を備え、前記発電電力量検知部の検知結果により前記移動駆動部を作動させることを特徴とする請求項７に記載の監視カメラ装置。
【請求項９】
少なくとも２個の回転体を下部に有し、レールを跨ぎ前記レールに取付けられる跨架台と、前記跨架台の上部に固定される監視カメラとを備え、前記レールに設置されるとき、前記回転体が前記レールを挟むことを特徴とする監視カメラ装置。
【請求項１０】
前記跨架台は、前記回転体の回転駆動により前記レールに沿って移動することを特徴とする請求項９に記載の監視カメラ装置。
【発明の詳細な説明】
【０００１】
【発明の属する技術分野】
本発明は、主に家庭や事務所で使用する監視カメラ装置に関するものである。
【０００２】
【従来の技術】
従来より、この種の監視カメラ装置には、図９に示すように、監視カメラ１０１と、監視カメラ１０１が取付けられる本体枠１０２と、支柱Ｄに取付ける取付金具１０３と、取付金具１０３を締付ける締付ボルト１０４とで構成され、取付金具１０３のベルト１０５と、本体枠１０２とで支柱Ｄを挟み、締付ボルト１０４で取付金具１０３を締めることにより、支柱Ｄへの取付を行うものがある（例えば、特許文献１参照）。
【０００３】
【特許文献１】
特開２００１−１７３６１３号公報
【０００４】
【発明が解決しようとする課題】
しかしながら、従来の監視カメラ装置は、電柱や屋内の柱などの支柱には容易に設置を行うことができるが、事務所や住宅などの屋内で支柱がない場所では、支柱に相当するものを取付けて設置を行わねばならず、特別な煩わしい設置工事を行わねばならないという問題があった。また、金具類が固定されるため、室内の美観を損ねたりするという問題があった。
【０００５】
本発明は、このような従来の問題を解決するためになされたもので、室内の美観を損ねることなく容易に設置することができる監視カメラ装置を提供するものである。
【０００６】
【課題を解決するための手段】
本発明の監視カメラ装置は、両端に回転体が回転自在に取付けられた回転部を有するランナーと、前記ランナーに連結部を介し固定された監視カメラとを備え、長手方向に中空部と溝とが形成されたレールに設置されるとき、前記回転部が前記中空部に挿入されるとともに、前記連結部が前記溝に挿入される構成を有している。
この構成により、特別な設置工事なしに移動自在にレールに取付けることができ、室内の美観を損ねることなく容易に設置することができる。
【０００７】
また、前記ランナーは、前記レールに当接する駆動回転体を有し、前記駆動回転体の回転駆動により前記レールに沿って移動する構成を有している。
この構成により、遠隔操作などでレールに沿ってランナーを容易に移動自在とすることができる。
【０００８】
また、前記駆動回転体は、被写体の動きに応じて作動する構成を有している。
この構成により、監視カメラによる監視を的確に行うことができる。
【０００９】
また、前記レールは、カーテン用のレールまたは絵画用のレールとする構成を有している。
この構成により、特別な設置工事なしに既存のレールに容易に設置することができる。
【００１０】
また、前記ランナーは、カーテンを懸架するフック穴を設けた構成を有している。
この構成により、簡潔の構成でカーテンを懸架することができる。
【００１１】
また、前記ランナーおよび、カーテンを懸架するカーテンランナーのいずれか一方にマグネットを設け、他方の少なくとも表面を金属とし、前記ランナーと前記カーテンランナーとを連結する構成を有している。
この構成により、カーテンを閉じたままで広範囲に移動することができる。
【００１２】
また、電力供給を行う太陽電池モジュールを備えた構成を有している。
この構成により、電源配線が不要となり、且つ、好ましい位置にて効果的な充電をすることができる。
【００１３】
また、前記太陽電池モジュールによる発電電力量を測定する発電電力量検知部を備え、前記発電電力量検知部の検知結果により前記移動駆動部を作動させる構成を有している。
この構成により、レールに沿って最も発電効率の良い場所に移動することができる。
【００１４】
また、本発明の監視カメラ装置は、少なくとも２個の回転体を下部に有し、レールを跨ぎ前記レールに取付けられる跨架台と、前記跨架台の上部に固定される監視カメラとを備え、前記レールに設置されるとき、前記回転体が前記レールを挟む構成を有している。
この構成により、特別な設置工事なしに移動自在にレールに取付けることができ、室内の美観を損ねることなく容易に設置することができる。
【００１５】
さらに、前記跨架台は、前記回転体の回転駆動により前記レールに沿って移動する構成を有している。
この構成により、遠隔操作などでレールに沿って跨架台を容易に移動自在とすることができる。
【００１６】
【本発明の実施の形態】
以下、本発明の実施の形態について、図面を用いて説明する。
【００１７】
図１は、本発明の第１の実施の形態の監視カメラ装置の斜視図を示す。
図１に示すように、本発明の第１の実施の形態の監視カメラ装置１０は、カーテン用や絵画用などのレール５０に懸架して設置されるもので、レール５０に移動可能に取付けられるランナー２０と、本体ユニット３０と、監視カメラ４０とで構成されている。
【００１８】
ランナー２０は、車輪やローラーなどの回転体２２が両端に設けられた回転部２１と、連結部２３を介し回転部２１に固定される基台２４とから構成されている。また、監視カメラ装置１０がレール５０に設置されたとき、監視カメラ装置１０をレール５０に沿って移動させる移動駆動部２６がランナー２０に設けられ、移動駆動部２６は、駆動モーター（図示せず）に連結する駆動回転体２７が基台２４に取付けられているものである。
ランナー２０の基台２４には、カーテンや絵画を懸架するためのフック穴２５が設けられている。カーテン用や絵画用などのレール５０は、一般の家庭などで使用されているものであり、金属またはプラスチックなどの樹脂の成型品、または木材の加工品により形成される。レール５０は、金属製カーテンレールの日本工業規格（ＪＩＳ  Ａ  ４８０２  １９９４など）の規定に沿った規格品であることが望ましい。
【００１９】
駆動回転体２７は、ランナー２０がレール５０に沿って移動するための駆動力を与えるもので、レール５０との間の摩擦により移動力を与えるタイヤやローラーなどを用いる。移動力を強固にするために、タイヤとしてはゴムタイヤを用い、ローラーとしては接触表面に摩擦力を増す加工を施したものを用いる。移動駆動部２６の動力源の駆動モーター（図示せず）は、特にバッテリーで動作可能なことから、小型のＤＣモーターを用いる。駆動モーターより駆動回転体２７への動力伝達機構としては、歯車やプーリーやベルトが用いられる。移動駆動部２６は、基台２４と本体ユニット３０とに分割して収納してもよい。監視カメラ４０は、画像を撮影するカメラ部と信号処理回路などの回路部により構成され、カメラ部としては、ＣＣＤカメラやＣＭＯＳセンサーカメラなどが用いられる。
【００２０】
本体ユニット３０は、監視カメラ４０で撮影した映像データを監視ポイントまで無線で伝送する無線モジュール３１と、無線モジュール３１用のアンテナ３２と、バッテリー３３とを収納する。無線モジュール３１の無線方式としては、無線ＬＡＮ、ブルートゥース（Ｂｌｕｅｔｏｏｔｈ）などのローカルエリアの無線規格やＰＨＳ（Ｐｅｒｓｏｎａｌ  Ｈａｎｄｙｐｈｏｎｅ  Ｓｙｓｔｅｍ）、ＰＤＣ（Ｐｅｒｓｏｎａｌ  Ｄｉｇｉｔａｌ  Ｃｅｌｌｕｌａｒ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）などの公衆回線規格が使用可能であるが、常時接続が容易である点において、無線ＬＡＮ規格やブルートゥース規格による無線方式がより好ましい。無線ＬＡＮ規格としてはＩＥＥＥ８０２．１１ａやＩＥＥＥ８０２．１１ｂなど標準化された規格や独自規格が使用可能である。アンテナ３２は、無線ＬＡＮ用としては、例えば、１／２λ型、ホイップ型、ダイポール型、コリニア型、八木型、平面型などを使用し、ブルートゥース用としては、例えば、平面型や円筒型のセラミック、チップ型のセラミックなどを使用する。また、ダイバシティアンテナを使用することもできる。バッテリー３３は、監視カメラ４０や移動駆動部２６や無線モジュール３１などに電源を供給する。バッテリー３３としては、繰り返し充放電可能な二次電池や、放電が１回だけの一次電池が用いられる。繰り返し使用可能なことからバッテリー３３に二次電池を用いることが望ましく、二次電池としては、ニカド電池、ニッケル水素電池、リチウムイオン電池、小型シール鉛蓄電池を用いる。本体ユニット３０は、ランナー２０や移動駆動部２６の一部もしくは全てを収納する構成にすることもできる。
【００２１】
また、移動駆動部２６には、移動駆動のための各種設定値を格納するメモリーや、駆動動作を制御するための演算装置が用いられる。監視カメラ装置１０には駆動動作のための各種センサーを搭載することもできる。
【００２２】
次に、以上のように構成された本発明の第１の実施の形態の監視カメラ装置１０の設置と動作について、図１を用いて説明する。
図１に示すように、バッテリー３３は、移動駆動部２６や本体ユニット３０や監視カメラ４０に電力を供給する。また、監視カメラ４０で撮影された画像データは、無線モジュール３１で変調され、アンテナ３２から送信される。監視カメラ装置１０が設置された所より離れた監視ポイントの受信側では、監視カメラ４０で撮影された画像データを確認したり記録したりすることができる。また、ランナー２０はレール５０に懸架されており、移動駆動部２６が駆動回転体２７に回転力を与えることにより、監視カメラ装置１０は、レール５０に沿って移動することができる。
ランナー２０は、レール５０の長手方向に形成された中空部５１に回転体２２を挿入するとともに、レール５０の長手方向に形成されたレール５０の溝５２に連結部２３を挿入し、レール５０に取付けることができる。
【００２３】
図２は、本発明の第１の実施の形態の監視カメラ装置がレールに取付けられたときの斜視図を示し、図２（ａ）は、レールに単独で取付けられたときの斜視図を示し、図２（ｂ）は、レールにカーテンとともに取付けられたときの斜視図を示し、図２（ｃ）は、レールに絵画とともに取付けられたときの斜視図を示す。
【００２４】
図２（ａ）では、監視カメラ装置１０がランナー２０によりカーテン用のレール５０に取り付けられ、カーテン５３は、ランナー２０とは別のカーテン用のランナー（図示せず）によりレール５０に取り付けられる。監視カメラ装置１０とカーテン５３は、レール５０の端部にあるキャップ（図示せず）を取り外すことにより、レール５０に取付けることができる。
【００２５】
監視カメラ装置１０は、カーテン５３が開けられている場合には、レール５０に沿って移動可能となるため、移動駆動部２６がランナー２０に移動駆動力を与え、カーテン５３が開けられているレール５０を広い範囲で移動することができる。
【００２６】
次に、図２（ｂ）では、カーテン５３ａが、監視カメラ装置１０のランナー２０のフック穴２５に一端が取り付けられてカーテン用のレール５０に懸架され、ランナー２０は、カーテンを懸架するカーテンランナーと兼用で使用することができる。他方のカーテン５３ｂは、カーテンランナー５９に一端が懸架される。カーテンランナー５９にはマグネット５９ａが付いているため、金属で形成されたランナー２０とカーテンランナー５９とはマグネット５９ａにより連結し、カーテン５３ａとカーテン５３ｂとを合わすことができる。このランナー２０とカーテンランナー５９とを連結し、カーテン５３ａとカーテン５３ｂとを互いに閉じた状態で、監視カメラ装置１０を移動させることができる。このカーテン５３ａとカーテン５３ｂとが互いに閉じた状態合でも、カーテン５３ａ、５３ｂのヒダによる布地の余裕分は、レール５０に沿って移動することができる。なお、ランナー２０にマグネット５９ａを付け、ランナー２０と金属で形成されたカーテンランナー５９とを連結することもできる。
【００２７】
さらに、図２（ｃ）では、絵画５４は、監視カメラ装置１０のランナー２０のフック穴２５（図１参照）に一端が取り付けられて絵画用のレール５０に懸架され、ランナー２０は、絵画を懸架する絵画ランナーと兼用で使用することができる。絵画５４の他端は、絵画ランナー（図示せず）に懸架される。
監視カメラ装置１０は、絵画５４と一体化するため目立たず、より自然に設置することができる。勿論、監視カメラ装置１０は、絵画５４の取付と一体化せずに、絵画用のレール５０に単独で取付けることもできる。
【００２８】
図３は、本発明の第１の実施の形態の監視カメラ装置に動き検出回路を備えたときの動作説明図を示す。
図３に示す本発明の第１の実施の形態の監視カメラ装置１０では、動き検出回路（図示せず）が内蔵されており、図１に示す移動駆動部２６により、被写体の動きに追従して移動する。監視カメラ装置１０は、矢印Ｈに示すように被写体１１の動きに追従し、矢印Ｋ１０に示すように、最適な撮影アングルの位置になるように移動するため、固定型の監視カメラ装置や回転型の監視カメラ装置に比べて死角を生じにくく良好な監視が可能となる。被写体１１の動きは、赤外線や二酸化炭素などを検知するセンサーを搭載し、その検出結果に応じて監視カメラ装置１０を移動させることができる。なお、被写体１１の動きではなく、光の加減などの撮影条件により、監視カメラ装置１０を移動させるようにすることもできる。
また、レール５０での監視カメラ装置１０の移動可能範囲については、移動駆動部２６にメモリーを設け、そのメモリーに格納する設定値を用いてもよく、また、監視カメラ装置１０を移動させながら、位置センサーにより移動可能範囲を把握することもできる。
【００２９】
以上のように、本発明の第１の実施の形態の監視カメラ装置によれば、特別な設置工事を行うことなく、既設の住居や事務所などに簡単に監視カメラ装置１０を設置することができる。また、レール５０に沿って監視カメラ装置１０が移動可能であるため、必要に応じて、監視カメラ装置１０の設置位置を簡単に変更したり、撮影アングルを調整したりすることができる。また、カーテン用のレールも絵画用のレールも建材として設置されているため、カーテン用のレールも絵画用のレールに取付ける監視カメラ装置１０は、幅広い環境において使用可能となる。さらに、被写体の動きに追従して移動することができ、監視をより的確に行うことができる。
【００３０】
図４は、本発明の第２の実施の形態の監視カメラ装置の斜視図を示す。
本発明の第２の実施の形態の監視カメラ装置６０では、図１と同じものに同一の符号を付けており、その詳細な説明は省略する。図４に示すように、太陽電池モジュール３４は、発電した電気をバッテリー３３に蓄積するユニットであり、太陽電池の発電パネルのほか、バッテリー３３に充電をするためのチャージコントローラなどの回路を内蔵している。太陽電池モジュール３４の発電パネルとしては、太陽光を降り注ぐそのままの状態で利用する平板型と、太陽光を光学系などにより高密度化してから太陽電池素子に入射させる集光型の二つの方式が使用できるが、その他の方式でも使用可能である。発電パネルの材料としては、単結晶シリコン、多結晶シリコン、アモルファス、単結晶化合物（ＧａＡｓ系統）、多結晶化合物（Ｃｄｓ、ＣｄＴｅ、ＣｕｌｎＳｅ２など）が使用でき、大量生産に適している多結晶シリコン、変換効率の高い単結晶シリコン、少ない光でも比較的よく発電できるアモルファスが特に好ましい。また、太陽電池モジュール３４は、最も効率的な発電ができるように、また、設置上の妨げにならないように、必要に応じて物理的な取付角度を変更可能の構造とする。
【００３１】
本発明の第２の実施の形態の監視カメラ装置６０について、図４を用いてその設置と動作を説明する。太陽電池モジュール３４では、太陽電池パネル３４ａ（図５参照）で太陽光を受けて発電し、発電した電力はチャージコントローラ３４ｂ（図５参照）により制御されてバッテリー３３に充電される。バッテリー３３は、移動駆動部２６、監視カメラ４０、無線モジュール３１などに電源を供給する。
監視カメラ装置６０がカーテン用のレール５０に設置される場合には、太陽電池モジュール３４は、窓に近づけて室外の太陽光を効率よく受光することができる。監視カメラ装置６０がカーテン用のレール５０に設置されることによって、より好ましい位置で効率的な発電が可能であり、充電された電力にて、より長時間、監視カメラ装置６０の動作を行うことができる。また、太陽電池モジュール３４により電力供給がワイヤレスで可能となるため、監視カメラ装置６０の周辺に見苦しい配線が這うことがない。
また、監視カメラ装置６０が絵画用のレール５０に設置される場合には、背後が窓ではなく壁の状況や、背後が窓であっても方角や日当たりの関係で十分の採光が得られない状況でも、室内の光で発電ですることも可能である。
【００３２】
以上のように、本発明の第２の実施の形態によれば、太陽電池モジュールを備えることにより、電源配線が不要となるため、配線の設置工事が不要となり監視カメラ装置６０の設置をより容易にすることができ、また、美観を損ねることを軽減できる。また、監視カメラ装置６０は、使用する設置場所が室内であっても、特にカーテン用のレール５０に取付ける場合には、効率的な発電が可能であり、長時間、監視カメラ装置の動作を行うことが可能である。
【００３３】
図５は、本発明の第３の実施の形態の監視カメラ装置のブロック回路図を示す。
本発明の第３の実施の形態の監視カメラ装置７０では、図１と同じものに同一の符号を付けており、その詳細な説明は省略する。図５に示すように、発電電力量検知部３５は、太陽電池モジュール３４で発電された電力量を測定する計測器であり、電力計、電力量計、電流計、電圧計などを使用する。判断部３６は、発電電力量検知部３５の検知結果に基づき移動駆動部２６を動作させるもので、演算装置を用いる。演算装置としては、電子回路、リレー回路などを用い、特に小型で構成が簡単に行える電子回路を用いることが好ましい。電子回路としては、ＣＰＵ、マイクロプロセッサやディジタルシグナルプロセッサのようなディジタル情報の演算処理を行う演算部品、コンパレータなどのアナログ部品による比較器、またはそれらを包含する演算回路やコンピュータを用いる。電子回路内部に設定された内容や判断や演算の過程や結果を記憶するメモリーを内蔵することもできる。
【００３４】
図６は、本発明の第３の実施の形態の監視カメラ装置の動作説明図を示す。
本発明の第３の実施の形態の監視カメラ装置７０の動作を図５と図６とを用いて説明する。図６では、本発明の監視カメラ装置７０を取付けるカーテン用のレール５０は、日が当たる窓際に取付けられている。カーテン用のレール５０の近辺には、窓際で日光を遮るものが少ないなど日が良く当たる場所Ｓと、日光を遮るものがあるなどの理由で日陰になっており日が良く当たらない場所Ｄが存在する。発電電力量検知部３５はレール５０の全幅（移動開始Ｘｓから移動終了Ｘｅまで）に渡って最も発電効率の良いレール５０の位置を検知し、判断部３６は移動駆動部２６を駆動して、最も発電効率の良いレール５０の位置に監視カメラ装置７０をレール５０に沿って移動させる。発電効率は、太陽電池モジュール３４の発電量を測定し検知することができる。また、監視カメラ装置７０は、時々レール上を小刻みに移動して、現在の位置が最も発電効率が良いかどうかを判断して、最も発電効率の良いレール５０の位置に移動する動作を行っても良い。
また、判断部３６は、現在のレール５０上の監視カメラ装置７０の位置を記憶しておき、目標位置までの移動距離を算出し、目標位置までの移動する動作を行っても良いし、発電電力量検知部３５を含めた帰還制御により逐次最適位置に移動する動作を行っても良い。
【００３５】
図６に示すように、監視カメラ装置７０は、当初、太陽電池モジュール３４の発電量Ｐｏのレール５０上の位置Ｘ０に位置している。発電電力量検知部３５の発電電力量の計測により、判断部３６が発電量Ｐ１のレール５０上の位置Ｘ１を最も効率良い発電の位置であると判断したとき、監視カメラ装置７０は、判断部３６の指示により移動駆動部２６が作動し、レール５０上で最も発電効率の良い位置Ｘ１に移動することができる。
【００３６】
以上のように、本発明の第３の実施の形態によれば、発電電力量を測定する発電電力量検知部３５の検知結果に基づき判断部３６が効率良い発電の位置を判断し、移動駆動部２６の作動により、監視カメラ装置７０は、レール５０に沿ってもっとも発電効率の良い場所に移動することができる。そのためバッテリー３３がより効率的に充電可能となり、十分な充電がなされることから、太陽電池発電による監視カメラ装置７０の動作時間を長くすることができる。
【００３７】
図７は、本発明の第４の実施の形態の監視カメラ装置の斜視図を示す。
本発明の第４の実施の形態の監視カメラ装置８０では、図１と同じものは同一の符号としており、その詳細な説明は省略する。
図７に示すように、跨架台７１は、上部に監視カメラ４０を設置する基台でありレール５０を跨ぎレール５０に取付けられ、例えば、各種金属や樹脂が使用可能である。跨架台７１の下部の両端には、円周面に沿って取付溝７７ａが形成され水平方向に回転自在の回転体７７がそれぞれ取付けられている。跨架台７１は、回転体７７の間にレール５０が挿入され、回転体７７がレール５０を挟みレール５０に取付けられる。また、跨架台７１には、駆動モータ（図示せず）により回転体７７に回転駆動力を与え、レール５０に沿って跨架台７１を移動するための移動駆動部７６が設けられている。回転体７７は、タイヤやローラーが用いられ、レール５０との間の摩擦により推進力を与えられるが、推進力を強固にするために、タイヤとしてはゴムタイヤを用い、ローラーとしては接触表面に摩擦力を増す加工を施したものを用いる。またレール５０には、壁や柱にレール５０を固定するための取付部品が存在するため、跨架台７１と移動駆動部７６は、それら取付部品に邪魔されない形状と位置とし、且つ、移動駆動部７６は確実にレール５０を挟んで駆動可能な位置に設置する。
【００３８】
図８は、本発明の第４の実施の形態の監視カメラ装置の動作の説明図を示す。
本発明の第４の実施の形態の監視カメラ装置８０の動作を図７と図８とを用いて説明する。
図８に示すように、カーテン５３がレール５０に吊らされ閉じられた状態にあるが、本発明の第４の実施の形態の監視カメラ装置８０では、跨架台７１がカーテン用のレール５０の上部に位置しているため、カーテン５３が閉まっている状態でも、監視カメラ装置８０の移動の障害にならず、レール５０上のより広い範囲で、矢印Ｋｒ、Ｋｌに示すように監視カメラ装置８０が移動可能となる。
【００３９】
以上のように、本発明の第４の実施の形態によれば、レール５０上部に監視カメラ装置８０を設置可能とする跨架台７１と、レール５０に沿って跨架台７１を移動させる移動駆動部７６とを備えることにより、レール５０の懸架物の有無に関わらず、監視カメラ装置８０をより広い範囲で移動させることができるため、死角を生じにくい位置に移動することができる。また必要に応じて監視カメラ装置８０の設置位置を広い範囲で容易に変更することができる。
【００４０】
【発明の効果】
以上説明したように、本発明の監視カメラ装置によれば、特別な設置工事なしに移動自在にレールに取付けることができ、室内の美観を損ねることなく容易に設置することができる。
【図面の簡単な説明】
【図１】本発明の第１の実施の形態の監視カメラ装置の斜視図
【図２】本発明の第１の実施の形態の監視カメラ装置がレールに取付けられたときの斜視図
（ａ）レールに単独で取付けられたときの斜視図
（ｂ）レールにカーテンとともに取付けられたときの斜視図
（ｃ）レールに絵画とともに取付けられたときの斜視図
【図３】本発明の第１の実施の形態の監視カメラ装置に動き検出回路を備えたときの動作説明図
【図４】本発明の第２の実施の形態の監視カメラ装置の斜視図
【図５】本発明の第３の実施の形態の監視カメラ装置のブロック回路図
【図６】本発明の第３の実施の形態の監視カメラ装置の動作説明図
【図７】本発明の第４の実施の形態の監視カメラ装置の斜視図
【図８】本発明の第４の実施の形態の監視カメラ装置の動作説明図
【図９】従来の監視カメラ装置の構成図
【符号の説明】
１０、６０、７０、８０  監視カメラ装置
２０  ランナー
２１  回転部
２２、７７  回転体
２３  連結部
２４  基台
２５  フック穴
２６、７６  移動駆動部
２７  駆動回転体
３０  本体ユニット
３１  無線モジュール
３４  太陽電池モジュール
３５  発電電力量検知部
３６  判断部
４０  監視カメラ
５０  レール
５３  カーテン
５９  カーテンランナー
７１  跨架台
【図１】
2004336186.tif 000003
【図２】
2004336186.tif 000004
【図３】
2004336186.tif 000005
【図４】
2004336186.tif 000006
【図５】
2004336186.tif 000007
【図６】
2004336186.tif 000008
【図７】
2004336186.tif 000009
【図８】
2004336186.tif 000010
【図９】
2004336186.tif 000011